(57)【特許請求の範囲】
【請求項１】
複数の鋼製のセグメントを互いに連結して構成された、河川の上流側に対向するように設けられる上流壁部と、
複数のセグメントを互いに連結して構成された、河川の下流側に対向するように設けられる下流壁部と、
前記上流壁部と前記下流壁部との間に形成された空間に充填された中詰材と、
を備える堰堤の構築方法であって、
少なくとも前記上流壁部の一部を前記下流壁部に向けて上方に傾斜させ、かつ前記上流壁部の一部と前記下流壁部の一部とを互いに所定の間隔をあけて構築し、両壁部間の空間に中詰材を充填して本体部を構築する工程と、
前記本体部の構築後に、前記本体部の上端に前記上流壁部の残りの部分と前記下流壁部の残りの部分とを互いに所定の間隔をあけて構築し、両壁部間の空間に中詰材を充填して、水通し機能を有する袖部を構築する工程と、
を備え、
前記本体部を構築する工程は、
前記複数の鋼製のセグメントを組み上げて部分的に上流壁部を構築する構築工程と、
前記構築工程の後、少なくとも前記上流壁部との間に空間を残した状態で両壁部間の空間にゼロスランプの中詰材を充填する第１充填工程と、
前記第１充填工程の後、少なくとも前記上流壁部と前記ゼロスランプの中詰材との間に残された空間に有スランプの中詰材を充填する第２充填工程と、
を有することを特徴とする、堰堤の構築方法。
【請求項２】
前記本体部の構築後に、前記本体部の上端に前記上流壁部の残りの部分と前記下流壁部の残りの部分とを互いに所定の間隔をあけて構築し、両壁部間の空間に有スランプの中詰材を充填して、水通し機能を有する袖部を構築する工程を有することを特徴とする、請求項１に記載の堰堤の構築方法。
【請求項３】
前記有スランプの中詰材を充填する前に、前記複数の鋼製のセグメントにより構成された前記上流壁部の、前記残された空間に面する側に補強部材を連結する工程と、
前記有スランプの中詰材を充填する工程後、前記有スランプの中詰材が固化する前に、前記補強部材を係止する係止部材を前記有スランプの中詰材に埋設する工程と、
前記係止部材に前記補強部材を係止する工程と
を有することを特徴とする、請求項１又は２に記載の堰堤の構築方法。
【請求項４】
前記本体部における前記上流壁部を、前記下流壁部に向かって傾けて構築することを特徴とする、請求項１から３までのいずれか一項に記載の堰堤の構築方法。
【請求項５】
複数の鋼製のセグメントを互いに連結して構成された、河川の上流側に対向するように設けられる上流壁部と、
複数のセグメントを互いに連結して構成された、河川の下流側に対向するように設けられる下流壁部と、
前記上流壁部と前記下流壁部との間に形成された空間に充填された中詰材と、を備える堰堤であって、
河川の底部に設けられ、上方に向かうにつれて幅が狭くなる本体部と、前記本体部の上端に設けられる、水通し機能を有する袖部とを有し、
前記本体部において前記複数の鋼製のセグメントにより構築された前記上流壁部は、前記複数の鋼製のセグメントにより構築された前記下流壁部に向けて上方に傾斜する傾斜部を有し、前記傾斜部から離間した位置にゼロスランプの中詰材が充填されており、前記傾斜部と前記ゼロスランプの中詰材との間に、有スランプの中詰材が充填されていることを特徴とする堰堤。
【請求項６】
前記袖部は、前記上流壁部と前記下流壁部との間に有スランプの中詰材が充填されて形成されていることを特徴とする請求項５に記載の堰堤。
【発明の詳細な説明】
【技術分野】
【０００１】
本発明は、河川に設けられる堰堤の構築方法及び堰堤に関する。
【背景技術】
【０００２】
河川に設けられる堰堤として、土石流等の発生による災害を防ぐ砂防堰堤が知られている。この砂防堰堤は、河川の上流側に対向するように設けられる上流壁部と、河川の下流側に対向するように設けられる下流壁部とを備えている。上流壁部と下流壁部との間に形成される空間内には、中詰材が充填されている（例えば、特許文献１参照）。
中詰材としては、ソイルセメントやコンクリート等が用いられることが一般的である。施工性に優れている観点から、中詰材としてゼロスランプ（目標スランプが０ｃｍの超硬練り状態）のソイルセメントを使用することがある。この場合、バックホウなどの重機で中詰材を敷き均し、振動ローラ等で転圧して締め固める必要がある。
【先行技術文献】
【特許文献】
【０００３】
【特許文献１】特開２００５−４８４６１号公報
【発明の概要】
【発明が解決しようとする課題】
【０００４】
一般に河川に設けられる堰堤等は、上流壁部の勾配を緩くして上流壁部に堆積する土砂の荷重を利用することで堰堤の断面形状が小さくなるようにしている。しかし、ゼロスランプのソイルセメントを中詰材に用いる場合、流動性がほぼ無いため壁部際まで重機で敷き均し、振動ローラで転圧して締め固める必要があった。この場合、振動ローラを上流壁部及び下流壁部の際まで近づけて作業を行わなければならず、壁部際の上部作業空間が必要なため、各壁部を緩い勾配にすることができない。上流壁部の勾配を緩くできなければ断面を大きくしなければならず、施工性が低下するほか、材料のコストが嵩む。よって、施工性の向上やコストの低減に貢献する断面を有する堰堤の施工が困難であった。
また、上記の敷き均し、転圧、締め固めといった作業は、両壁部の間に形成された狭いスペースで行わなければならず、特に、堰堤の上方に向かうにつれて作業スペースが狭くなってくるため、各作業を効率よく行うことが困難であり、施工性が低下する。
【０００５】
そこで、本発明は、上記課題に鑑みてなされたものであり、施工性に優れ、コストの低減に貢献する断面を有する堰堤の構築方法及び堰堤を提供することを目的とする。
【課題を解決するための手段】
【０００６】
上記目的を達成するために、本発明は、河川の上流側に対向するように設けられる上流壁部と、河川の下流側に対向するように設けられる下流壁部と、前記上流壁部と前記下流壁部との間に形成された空間に充填された中詰材と、を備える堰堤の構築方法であって、前記上流壁部と前記下流壁部とを互いに所定の間隔をあけて構築する工程と、少なくとも前記上流壁部との間に空間を残した状態でゼロスランプ（目標スランプが０ｃｍの超硬練り状態）の中詰材を充填する工程と、少なくとも前記上流壁部と前記ゼロスランプの中詰材との間に残された空間に有スランプ（目標スランプが５ｃｍ〜２５ｃｍの軟練り状態）の中詰材を充填する工程と、を有することを特徴とする。
【０００７】
本発明は、河川の上流側に対向するように設けられる上流壁部と、河川の下流側に対向するように設けられる下流壁部と、前記上流壁部と前記下流壁部との間に形成された空間に充填された中詰材と、を有する堰堤の構築方法であって、前記上流壁部の一部と前記下流壁部の一部とを互いに所定の間隔をあけて構築し、両壁部間の空間にゼロスランプ（目標スランプが０ｃｍの超硬練り状態）の中詰材を充填して本体部を構築する工程と、前記本体部の構築後に、前記本体部の上端に前記上流壁部の残りの部分と前記下流壁部の残りの部分とを互いに所定の間隔をあけて構築し、両壁部間の空間に有スランプ（目標スランプが５ｃｍ〜２５ｃｍの軟練り状態）の中詰材を充填して袖部を構築する工程と、を有することを特徴とする。
【０００８】
また、前記有スランプの中詰材を充填する前に、前記残された空間に面する壁部の内側に補強部材を連結する工程を有することが好ましい。
【０００９】
また、前記上流壁部を、前記下流壁部に向かって傾けて構築することが好ましい。
【００１０】
本発明は、河川の上流側に対向するように設けられる上流壁部と、河川の下流側に対向するように設けられる下流壁部と、前記上流壁部と前記下流壁部との間に形成された空間に充填された中詰材と、を備える堰堤であって、前記上流壁部は、前記下流壁部に向けて上方に傾斜する傾斜部を有し、前記傾斜部から離間した位置にゼロスランプの中詰材が充填されており、前記傾斜部と前記ゼロスランプの中詰材との間に、前記有スランプの中詰材が充填されていることを特徴とする。
【００１１】
本発明は、河川の上流側に対向するように設けられる上流壁部と、河川の下流側に対向するように設けられる下流壁部と、前記上流壁部と前記下流壁部との間に形成された空間に充填された中詰材と、を備える堰堤であって、河川の底部に設けられ、上方に向かうにつれて幅が狭くなる本体部と、前記本体部の上端に設けられる袖部とを有し、前記袖部は、前記上流壁部と前記下流壁部との間に有スランプの中詰材が充填されて形成されていることを特徴とする。
【００１２】
また、前記傾斜部は、最大で１：１．０の勾配を有することが好ましい。
【００１３】
また、前記ゼロスランプの中詰材は、前記傾斜部から１ｍ以上離間して充填されていることが好ましい。
【発明の効果】
【００１４】
本発明によれば、締め固めの作業が困難な箇所に有スランプの中詰材を充填するので、施工性の向上やコストの低減に貢献する断面を有する堰堤を提供することができ、堰堤の施工時における作業負担及び材料コストを軽減することができる。
【図面の簡単な説明】
【００１５】
【図１】堰堤の一部を断面視した斜視図である。
【図２】図１に示した堰堤の概略的な断面図である。
【図３】図２に示した堰堤の底部近傍を拡大した断面図である。
【図４】第２の実施形態における堰堤の概略的な断面図である。
【図５】従来の堰堤の概略的な断面図である。
【発明を実施するための形態】
【００１６】
本発明の好ましい実施形態について、図面を参照しながら説明する。なお、以下に示す実施形態は一例であり、本発明の範囲において、種々の実施形態をとりうる。
【００１７】
［第１の実施形態］
＜堰堤の構成＞
図１は、河川に設けられる不透過型の砂防用の堰堤１の斜視図であり、一部を断面視している。
図１に示すように、堰堤１は、河川の底に構築される本体部１１と、この本体部１１の上端に構築される袖部１２とを有しており、上方に向かうにつれて幅が狭くなるように構成されている。堰堤１は、基礎部２と、上流壁部３と、下流壁部４と、中詰材５とを備えている。
【００１８】
（本体部及び袖部）
本体部１１は、堰堤１の底部側を構成し、断面形状が台形状になっている。つまり、本体部１１は、下底から上底に向かって断面が縮小していく形状になっている。
袖部１２は、本体部１１の上端に連続して形成されていて、河川の両岸に接続されている。袖部１２は、図１に示すように、台形状の断面形状を有するが、この形状に限定されるものではない。
堰堤１の袖部１２には、水通しの機能を有する越流部１３が形成されている。図１に示すように、越流部１３の天端は、袖部１２の天端よりも低い位置に構成されている。
【００１９】
（基礎部）
基礎部２は、コンクリートで形成されており、河川の流れる方向に直交する方向（河川の幅方向）に沿って、河川の底部に設けられている。基礎部２は、２つ設けられており、上流側と下流側とに所定の間隔をあけて配置されている。
各基礎部２の上面は、それぞれ平面状に形成されており、上流側の基礎部２の上面に上流壁部３が設けられ、下流側の基礎部２の上面に下流壁部４が設けられている。
【００２０】
（上流壁部）
図１に示すように、上流壁部３は、河川の上流側の基礎部２の上面に設けられていることから、上流壁部３は、河川の上流側に対向するように設けられている。
図１に示すように、上流壁部３は複数の鋼製のセグメントによって連結されて構成されている。隣接するセグメント同士の上下端縁が、互いに同じ高さにならないように、隣接するセグメント同士は上下方向に互い違い（千鳥状）、又はセグメント同士は左右方向に互い違いに配置されている。
隣接するセグメント同士は互いに、セグメントの４辺において、例えばボルト及びナット等を介して互いに連結されている。
また、上流壁部３は、図３に示すように、鉄筋等の補強部材６によって堰堤１の内側から補強されている。補強部材６は、一端部が中詰材５に埋設されて固定されている係止部材６１に連結されていて、他端部が、上流壁部３のセグメントに連結されている。
【００２１】
図２は、図１に示す堰堤１の断面図である。図２に示すように、上流壁部３は、堰堤１の本体部１１における壁部を形成する下壁３１と、堰堤１の袖部１２における壁部を形成する上壁３２とを有している。
下壁３１は、堰堤１の底部側、特に、上流壁部３の下端から、河川の流れ方向に見て、下流側に向かって上昇するように構成されている。つまり、下壁３１は、基礎部２から下流壁部４に向かって傾いた傾斜部として形成されている。傾斜部３１の勾配（堰堤の高さ方向の長さと幅方向の長さの比）は、１：００〜１：１．０、特に、１：０．５５〜１：１．０の範囲内であることが好ましい。上流壁部３は、特に、傾斜部３１の傾斜角度を緩やかに、河川の流れ方向に寝かせるように構築することが好ましい。
なお、図２に示した上流壁部３は、傾いて構成されているが、下流壁部３１、つまり傾斜部３１は傾斜を有さず、鉛直であってもよい。
【００２２】
上壁３２は、堰堤１、上流壁部３の上側を構成し、上流壁部３の下壁３１に接続されている。図１に示すように、上壁３２は、袖部１２の上流壁部３を構成している。ここで、越流部１３が形成されている箇所は、袖部１２が構築されていないため、上壁３２は設けられていない。
また、図２に示すように、上壁３２はほぼ鉛直方向に延びるように形成されているが、上流壁部３と下流壁部４との間に、所定の天端幅が設けられるのであれば、傾斜していてもよい。
【００２３】
（下流壁部）
図１に示すように、下流壁部４は、下流側の基礎部２の上面に設けられていることから、下流壁部４は、河川の下流側に対向するように設けられている。下流壁部４は、複数のコンクリート製のセグメントによって連結されて構成されている。隣接するセグメントの上下端縁が、互いに同じ高さにならないように、隣接するセグメント同士は上下方向に互い違い（千鳥状）、又はセグメント同士は左右方向に互い違いに配置されている。基礎部２の近傍の下流壁部４のセグメントには、支持部材及び補強部材（図示せず）が連結されている。
【００２４】
図２に示すように、下流壁部４は、堰堤１の底部側、特に、下流壁部４の下側から、河川の流れ方向に見て、上流側に向かって上昇するように構成されている。つまり、下流壁部４は、基礎部２から上流壁部３に向かって傾いて構成されている。
また、下流壁部４を、上流壁部３と同様に構成することもできる。
【００２５】
（中詰材）
図１に示すように、中詰材５は、上流壁部３と下流壁部４との間にある空間Ｓ内に充填されるものである。具体的に、中詰材５として、ゼロスランプの中詰材５１及び有スランプの中詰材５２が用いられている。
ゼロスランプの中詰材５１は、流動性がほぼない、超硬練り材料である。有スランプの中詰材５２は、流動性がある、つまりスランプが発生する材料である。
中詰材５には、堰堤１を設置する現場の現地発生土にセメントと水とを混合して作成されるソイルセメントを使用することが好ましい。中詰材５は、堰堤１に所望の強度を提供することができれば、例えばコンクリートやモルタルであってもよい。
【００２６】
図２に示すように、堰堤１の本体部１１において、上流壁部３と下流壁部４との間にある空間Ｓに、ゼロスランプの中詰材５１及び有スランプの中詰材５２が充填されている。具体的には、ゼロスランプの中詰材５１は、上流壁部３の傾斜部３１から離れた位置に充填されていて、好ましくは１ｍ以上離れた位置に充填されている。
有スランプの中詰材５２は、ゼロスランプの中詰材５１と上流壁部３、特に、傾斜部３１との間に充填されている。
袖部１２において、上流壁部３の上壁３２と下流壁部４との間には、ゼロスランプの中詰材５１が充填されている。袖部１２における上流壁部３と下流壁部４との間に提供されている空間が、重機等による中詰材５の締め固めの作業にとって狭い場合には、堰堤１の施工性を考慮して、当該空間は、充填後の締め固め作業が必要とならない有スランプの中詰材５２によって充填されていてもよい。
図２に示すように、堰堤１において、ゼロスランプの中詰材５１は、下流壁部４との間に間隔をあけずに直に接して充填されているが、下流壁部４から離間して充填されていてもよい。この場合、有スランプの中詰材５２が、下流壁部４とゼロスランプの中詰材５１との間に充填される。
【００２７】
＜堰堤の構築方法＞
次に、図３を用いて、ゼロスランプの中詰材５１及び有スランプの中詰材５２を用いた堰堤１の構築方法について説明する。図３は、堰堤１の構築方法を説明するために、堰堤１の上流壁部３の底部の一部を拡大した図である。
堰堤１の構築にあたっては、本体部１１の壁部３、４を構築する工程及び中詰材５を充填する工程は、段階的に複数回に分けて実施される。本体部１１の形成後に、袖部１２が形成される。
【００２８】
まず、堰堤１の施工位置にコンクリートを打設し、基礎部２を構築する。構築した基礎部２の上に上流壁部３を形成するセグメントを組み上げていき、一回の中詰材５の充填分の高さに相当する上流壁部３を構築する。上流壁部３の下壁（傾斜部）３１は、堰堤１が所望の断面を有するように、下流壁部４に向かって傾けて構築する。上流壁部３の下壁３１の勾配は、堰堤１の完成時に、１：０．５５〜１：１．００の範囲内にあるように、下側壁部３１を傾けることが好ましい。
下流壁部４も、上流壁部３の構築に合わせて、上流壁部３から所定の間隔をあけて構築する。
【００２９】
この工程後、又はこの工程と並行して、施工現場に混合施設（混合枡）を設け、この混合施設内で現地発生土にセメント及び水を加えて、中詰材５としてゼロスランプの中詰材５１及び有スランプの中詰材５２を作成する。
次に、作成したゼロスランプの中詰材５１を、上流壁部３と下流壁部４との間に形成された空間Ｓに、バックホウにより投入（充填）する。ゼロスランプの中詰材５１は、上流壁部３から間隔、具体的には１ｍ以上の間隔をあけて投入する。投入後、ゼロスランプの中詰材５１を、バックホウやブルドーザ等の重機により敷き均して、振動ローラの転圧により締め固める。
なお、ゼロスランプの中詰材５１の充填前には、ゼロスランプの中詰材５１用の型枠を空間Ｓ内に設置する。型枠は、型枠へゼロスランプの中詰材５１を投入し、ゼロスランプの中詰材５１が固化した後、固化後の中詰材５１の断面形状が、階段状となるように設置される。型枠は、有スランプの中詰材５２が充填される前に撤去する。
【００３０】
次に、上流壁部３とゼロスランプの中詰材５１との間に、有スランプの中詰材５２を投入する。有スランプの中詰材５２の投入後に、鉄筋等からなる補強部材６を係止する係止部材６１を、有スランプの中詰材５２の固化前に埋設して、埋設された係止部材６１及び上流壁部３に補強部材６を連結する。補強部材６の連結後、再度、有スランプの中詰材５２を、補強部材６が埋設されるように投入する。この有スランプの中詰材５２の固化前に、別の係止部材６１を埋設する。
なお、係止部材６１は、有スランプの中詰材５２の固化後であっても、所定の工具により固化した中詰材５２を穿孔することで取り付けることもできる。
この作業を、所定の高さまで繰り返して、堰堤１の本体部１１を形成する。
【００３１】
次に、本体部１１の上に、袖部１２を形成する。
袖部１２においても、上流壁部３及び下流壁部４を段階的に構築し、その間に形成された空間に中詰材５を、段階的に構築される壁部３、４に合わせて複数回に分けて投入する。投入する中詰材５は、ゼロスランプの中詰材５１又は有スランプの中詰材５２のいずれであってもよい（図２においては、ゼロスランプの中詰材５１を充填した）。
袖部１２においても、この作業を所定の高さまで繰り返した後に、天端に保護コンクリート１４ａを打設し、これをもって堰堤１が完成する。
なお、越流部１３を形成する場合には、越流部１３を形成する位置に袖部１２を構築することなく、保護コンクリート１４ｂを打設する。
【００３２】
＜従来の堰堤との比較＞
図５は、従来の堰堤１００の断面図である。従来の堰堤１００は、上流壁部１３０と、下流壁部１４０とを有する。上流壁部１３０の勾配は、図２に示した本発明の緩勾配を有する上流壁部３と比べて急勾配であるため、堰堤の高さを同じにした場合に、堰堤１００の天端幅は、堰堤１の天端幅と比べて幅広になる。
【００３３】
（本発明に係る堰堤）
図２に示すように、本発明に係る堰堤1は、中詰材５として、ゼロスランプの中詰材５１及び有スランプの中詰材５２を用いた堰堤であり、堰堤１の大きさは以下の通りである。
本体部の高さ：１４．５０ｍ
袖部の天端幅：３．０８ｍ
越流部の天端幅：３．８０ｍ
本体部の底幅：２１．２０ｍ
上流壁部の勾配：１：１．００
下流壁部の勾配：１：０．２０
そして、越流部において堰堤の単位面積当たりの地盤反力度は、３４７．４３ｋＮ／ｍ２である。
【００３４】
（従来の堰堤）
図５に示すように、従来の堰堤１００は、中詰材５として、ゼロスランプの中詰材５１を用いた堰堤であり、堰堤１００の大きさは以下の通りである。
本体部の高さ：１４．５０ｍ
袖部の天端幅：１０．６４ｍ
越流部の天端幅：１１．２０ｍ
本体部の底幅：２１．３５ｍ
上流壁部の勾配：１：０．５０
下流壁部の勾配：１：０．２０
そして、越流部において堰堤の単位面積当たりの地盤反力度は、３４７．３２ｋＮ／ｍ２である。
【００３５】
本体部の高さ、底幅、下流壁部の勾配及び単位面積当たりの地盤反力度は、ほぼ同じである。
しかしながら、堰堤１の上流壁部の勾配は、１：１．０である一方、堰堤１００の上流壁部側の勾配は、１：０．５となっている。堰堤１の上流壁部側の勾配を、堰堤１００の上流壁部側の勾配の２倍にすることで、堰堤１は、堰堤１００とほぼ同じ地盤反力度を有しながらも、袖部の天端幅が、堰堤１００の袖部の天端幅の約０．２９倍（３．０８ｍ／１０．６４ｍ）、越流部の天端幅が、堰堤１００の越流部の天端幅の約０．３４倍（３．８０ｍ／１１．２０ｍ）に縮小されている。つまり、堰堤１の断面積は、堰堤１００の断面積と比較して小さくなる。これにより、同じ強度を有しながらも、堰堤１の方が容積を小さくすることができるので、堰堤１の施工に必要となる中詰材の量についても、堰堤１００と比べて少なくて済むことがわかる。
【００３６】
＜作用、効果＞
以上のように、堰堤１においては、日当たりの施工量の多いゼロスランプの中詰材５１を可能な限り使用するとともに、上流壁部３の壁際等の、中詰材５の締め固め作業が困難な場所に、締め固めが不要な有スランプの中詰材５２を使用するので、天端幅を固定して上流壁部３の傾斜部３１の勾配を緩くしながら、施工性の向上やコストの低減に貢献する断面を決定することができる。さらに、基礎地盤の単位面積当たりの地耐力度が小さい場合であっても、傾斜部３１の勾配を緩くすることで、堰堤１の単位面積当たりの地盤反力度を、基礎地盤の単位面積当たりの地耐力度以下にすることができ、基礎地盤の改良工事を省略することができる。
上流壁部３を傾けて構築することで、上流壁部３に堆積する土砂の荷重を利用することができるので、十分な強度を備えた堰堤１とすることができる。
堰堤１内部において、上流壁部３に補強部材６を連結するので、堰堤１の強度をさらに高めることができる。
緩勾配を有する本体部１１において、袖部１２における天端幅に応じて、袖部１２に充填する中詰材５を、ゼロスランプの中詰材５１又は有スランプの中詰材５２にするかを決定することができ、堰堤１の柔軟な施工が可能になる。
締め固めの作業が困難な上流壁部３の壁際に充填される中詰材５に、有スランプの中詰材５２を使用するため、上流壁部３を傾けて傾斜部３１として構成することができ、傾斜部３１に上載される土砂の荷重を利用して堰堤１の強度を向上させることができる。
上流壁部３の傾斜部３１の勾配を、最大で１：１．０にすることにより、より有効に傾斜部３１に土砂の上載せをすることができるので、堰堤１の十分な強度を維持しつつ、堰堤全体で断面を小さくすることができる。また、充填する中詰材５の量も従来と比べて減らすことができるので、堰堤１の施工性を向上させるとともに、材料コストを減じることもできる。
ゼロスランプの中詰材５１は、上流壁部３の傾斜部３１から１ｍ以上離れて充填されているので、上流壁部３の壁際での中詰材５の締め固め等の作業は回避され、堰堤１の全体的な施工性も向上する。
【００３７】
［第２の実施形態］
次に、本発明の第２の実施形態について説明する。第２の実施形態が第１の実施形態と異なる点は、上流壁部３の傾斜部３１の勾配、及び堰堤１Ａにおけるゼロスランプの中詰材５１及び有スランプの中詰材５２の充填個所であるため、以下では、傾斜部３１の勾配、及び中詰材５１、５２の充填個所についてのみ説明し、第１の実施形態と同じ構成については、同一符号を付して説明を省略する。
図４は、堰堤１Ａの断面図である。上流壁部３の傾斜部３１は、例えば勾配が、１：０．５の急勾配を有している。図４に示すように、堰堤１Ａの本体部１１において、上流壁部３の下壁（傾斜部）３１と下流壁部４との間は、ゼロスランプの中詰材５１のみで充填されている。
これに対して、堰堤１Ａの袖部１２において、上流壁部３の上壁３２と下流壁部４との間は、有スランプの中詰材５２のみで充填されている。これは、上述のように、袖部１２において提供される、中詰材５の締め固め作業用のスペースが、極めて狭いことに起因している。
【００３８】
＜作用、効果＞
急勾配の傾斜部３１を有する堰堤１の大部分を占める本体部１１に、安価で日当たりの施工量が多いゼロスランプの中詰材５１を使用した場合、締め固め作業の困難な狭隘箇所である袖部１２に、締め固めが必要ない有スランプの中詰材５２を使用することにより、施工効率を向上させることができ、かつ幅広の天端幅を設定して、中詰材５の締め固め用の作業空間を確保する必要がないので、コスト低減に貢献する堰堤１の断面を決定することができる。
【００３９】
＜その他＞
なお、本発明は、上記実施形態に限られるものではない。例えば、有スランプの中詰材５２を上流壁部３の下壁３１に隣接する空間と袖部１２の双方に充填した堰堤としてもよい。
【符号の説明】
【００４０】
１、１Ａ  堰堤
１１  本体部
１２  袖部
３  上流壁部
３１  傾斜部
４  下流壁部
５  中詰材
５１  ゼロスランプの中詰材
５２  有スランプの中詰材
６  補強部材
Ｓ  空間
【図１】
0006669435.tif 000002
【図２】
0006669435.tif 000003
【図３】
0006669435.tif 000004
【図４】
0006669435.tif 000005
【図５】
0006669435.tif 000006